(57)【要約】【課題】カメラヘッドとカメラ本体とが別体であっても、カメラヘッドからの発光指示信号に応じてカメラ本体側の閃光発光部からいち早く閃光が発光されるカメラシステムを提供する。【解決手段】  カメラヘッド１ａ側のタイミングジェネレータ（ＴＧ）１８ａとカメラ本体１ｂ側の閃光制御部１２０ｂとを専用線１Ａによって結ぶ。ヘッドＣＰＵ１９ａが積算回路１６ａにＡＥ処理を行なわせて得た測光値により閃光発光が必要であると判定した場合には、ＴＧ１８ａを制御してＴＧ１８ａからその専用線１Ａを通して閃光制御部１２０ｂに発光開始信号を供給させる。【選択図】図２
2006174385.tif 000002
【特許請求の範囲】
【請求項１】
撮影光学系と撮像素子を備えたカメラヘッドと、該カメラヘッドとの間で信号の入出力を行なうインターフェースを介して該カメラヘッドから画像信号を受け取って信号処理を行なうカメラ本体とを備えたカメラシステムにおいて、
前記カメラヘッドが、前記撮像素子に露光開始信号および露光終了信号を供給するタイミングジェネレータを備え、
前記カメラ本体が、撮影に同期して閃光を発光する閃光発光部を備え、
さらにこのカメラシステムが、前記撮像素子による露光中に前記閃光発光部による閃光発光が行なわれるように、前記カメラヘッドから前記カメラ本体に発光指示信号を供給する、該カメラヘッドと該カメラ本体とを結ぶ専用線を備えたことを特徴とするカメラシステム。
【請求項２】
前記発光指示信号が、発光開始信号と発光停止信号とからなり、前記閃光発光部が、発光開始信号を受けて閃光発光を開始するとともに発光停止信号を受けて発光中の閃光発光を停止するものであって、
前記専用線が、前記発光開始信号を伝達する第１の専用線と、前記発光停止信号を伝達する第２の専用線との２本の専用線からなるものであることを特徴とする請求項１記載のカメラシステム。
【請求項３】
前記発光指示信号が、発光開始信号と発光停止信号とからなり、前記閃光発光部が、発光開始信号を受けて閃光発光を開始するとともに発光停止信号を受けて発光中の閃光発光を停止するものであって、
前記専用線が、前記発光開始信号と前記発光停止信号との双方を伝達する１本の専用線からなるものであることを特徴とする請求項１記載のカメラシステム。
【発明の詳細な説明】
【技術分野】
【０００１】
本発明は、撮影光学系と撮像素子を備えたカメラヘッドと、そのカメラヘッドが着脱自在に装着されそのカメラヘッドから画像信号を受け取って信号処理を行なうカメラ本体とを備えたカメラシステムに関する。
【背景技術】
【０００２】
撮像素子と撮影光学系が一体的になったプラグインユニットがカメラ本体に装着されると、そのプラグインユニットの情報がカメラ本体側に伝達されて、そのプラグインユニットが備える撮影光学系で撮影を行なうことができるようになるカメラシステムが提案されている（特許文献１参照）。このようにプラグインユニットがカメラ本体に装着されるだけで撮影光学系つまり撮影レンズの交換が行なわれるカメラシステムが実現されると、カメラシステムの取り扱いが非常に簡単になり、専門的な知識を持たない人にでも簡単に撮影レンズの交換が行なえる。
【０００３】
同様なものに、撮影光学系と撮像素子を備えたカメラヘッドと、カメラヘッドが着脱自在に装着されカメラヘッドから画像信号を受け取って信号処理を行なうカメラ本体とを備えたカメラシステムがある（例えば特許文献２参照）。
【０００４】
ところで、カメラヘッドとカメラ本体とを備えたカメラシステムにおいては、カメラ本体側にレリーズ釦が配備されカメラヘッド側に撮像素子が配備されるものが多い。また、カメラ本体内に閃光発光部が配備されカメラヘッド側に測光部や測距部が配備されているものも多い。
【０００５】
そうすると、カメラ本体側のレリーズ釦が押下されたことを受けてカメラヘッド側の撮像素子にカメラヘッドとカメラ本体との間のインターフェースを介してレリーズ信号が伝達されることとなる。このレリーズ信号に応じてカメラヘッド側の測光部による測光が行なわれ、その測光値によっては閃光発光が必要になるため、今度はカメラヘッド側から閃光発光を指示する発光開始信号が上記インターフェースを介してカメラ本体側へ伝達され閃光が発光されるとともにカメラヘッド側の撮像素子の露光が開始されることになる。
【０００６】
このようなインターフェースとしては、現在カメラ本体とカメラヘッドとの間において撮影に必要な情報の交換を行なうことができるような双方向通信用のシリアルインターフェース（ＳＩＦ）等が用いられている。このようなインターフェースが用いられると、部品点数などの観点からレリーズ信号や発光指示信号を含む制御信号すべてがそのインターフェースによりカメラヘッドからカメラ本体へ、あるいはカメラ本体からカメラヘッドへ供給されるようになる。
【０００７】
しかしながら、レリーズ釦が押下されたタイミングでカメラヘッド側の測光部による測光が行なわれ閃光発光が必要になった場合に、上記インターフェースが使用中であると、発光指示信号がカメラ本体の閃光発光部に供給されるタイミングとレリーズ操作時のタイミングとの間にタイムラグが生じてしまう。このようにレリーズ操作のタイミングと発光指示信号の供給タイミングとの間にタイムラグが生じてしまうと、閃光発光によって撮像素子の受光面に与えられるはずの適正光量がそのタイムラグにより撮像素子の受光面に与えられなくなってしまう。
【０００８】
このタイムラグによる影響は、シャッタスピードが速ければ速いほど顕著に現われる。この影響が極端に現われる例として日中シンクロ撮影がある。この日中シンクロ撮影とは、日中、撮影しようとしている被写体の一部に影があって、その影になっているところに閃光を当てることにより影をなくして鮮明な撮影を行なおうとするものである。
【０００９】
このような日中シンクロ撮影においては、日中であることからシャッタスピードを短くして撮影を行なうため、上記タイムラグが生じると露光終了後になってから閃光が発光されてしまうようなことが起こり得る。
【特許文献１】特開平８−１７２５６１号公報
【特許文献２】特開２０００−１７５０８９号公報
【発明の開示】
【発明が解決しようとする課題】
【００１０】
本発明は、上記事情に鑑み、カメラヘッドからの発光指示信号に応じてカメラ本体側の閃光発光部からいち早く閃光が発光されるカメラシステムを提供することを目的とする。
【課題を解決するための手段】
【００１１】
上記目的を達成する本発明のカメラシステムは、撮影光学系と撮像素子を備えたカメラヘッドと、該カメラヘッドとの間で信号の入出力を行なうインターフェースを介して該カメラヘッドから画像信号を受け取って信号処理を行なうカメラ本体とを備えたカメラシステムにおいて、
上記カメラヘッドが、上記撮像素子に露光開始信号および露光終了信号を供給するタイミングジェネレータとを備え、
上記カメラ本体が、撮影に同期して閃光を発光する閃光発光部を備え、
さらにこのカメラシステムが、上記撮像素子による露光中に上記閃光発光部による閃光発光が行なわれるように、上記カメラヘッドから上記カメラ本体に発光指示信号を供給する、そのカメラヘッドとそのカメラ本体とを結ぶ専用線を備えたことを特徴とする。
【００１２】
上記カメラシステムによれば、上記インターフェースを介して上記発光指示信号が供給されるのではなく、上記専用線により上記発光指示信号が供給されるので、上記カメラ本体側の上記閃光発光部にいち早く発光指示信号が供給されちょうど良いタイミングで閃光が発光されるようになる。
【００１３】
ここで、上記発光指示信号が、発光開始信号と発光停止信号とからなり、
上記閃光発光部が、発光開始信号を受けて閃光発光を開始して閃光発光を開始するとともに発光停止信号を受けて発光中の閃光発光を停止するものであって、
上記専用線が、上記発光開始信号を伝達する第１の専用線と、上記発光停止信号を伝達する第２の専用線との２本の専用線からなるものであることが好ましい。
【００１４】
上記閃光発光部から発光される閃光の発光時間は、撮像素子の受光面に与える光量に影響を与える値であり、その発光時間を適切な時間にしておかないと、撮像素子の受光面に適正な光量が与えられなくなってしまう。
【００１５】
そこで、上記のように、上記発光開始信号を伝達する第１の専用線と、上記発光停止信号を伝達する第２の専用線との２本の専用線を設けることにより発光時間を厳しく制御して適正な光量を上記撮像素子の受光面に与えることができるようにしておくとさらに良い。
【００１６】
また、上記発光指示信号が、発光開始信号と発光停止信号とからなり、
上記閃光発光部が、発光開始信号を受けて閃光発光を開始して閃光発光を開始するとともに発光停止信号を受けて発光中の閃光発光を停止するものであって、
上記専用線が、上記発光開始信号と上記発光停止信号との双方を伝達する１本の専用線からなるものであることが好ましい。
【００１７】
専用線を２本設けるとなると、部品点数が増えるので上記のように１本の専用線にして上記発光開始信号と上記発光停止信号との双方をその１本の専用線で伝達するようにすると、部品点数の削減を行なうことができ、コストダウンを図ることもできる。
【発明の効果】
【００１８】
以上、説明したように、カメラヘッドとカメラ本体とが別体であっても、カメラ本体側のレリーズ操作に応じたカメラヘッド側の測光結果によりカメラ本体側の閃光発光部から遅滞なく閃光発光が行なわれるカメラシステムが実現される。
【発明を実施するための最良の形態】
【００１９】
以下、本発明の実施の形態について説明する。
【００２０】
図１は、本発明の一実施形態であるカメラシステムを示す図である。
【００２１】
図１を参照してまず本実施形態のカメラシステムの外観を説明する。
【００２２】
図１に示すように本実施形態のカメラシステム１は、カメラヘッド１ａとカメラ本体１ｂとを備える。図１には、撮影光学系と撮像素子を備えたカメラヘッド１ａと、そのカメラヘッド１ａが着脱自在に装着されカメラヘッド１ａから画像信号を受け取って信号処理を行なうカメラ本体１ｂとが示されている。
【００２３】
カメラ本体１ｂの中央には、多数のマウント接点を持つヘッドマウント１０ｂが配備されている。カメラヘッド１ａ側にも同様のマウント部が構成されており、双方のマウント接点の位置がそれぞれあうように図中の一点鎖線に沿ってカメラヘッド１ａがカメラ本体１ｂに装着されると、多数のマウント接点同士が各々接続されてカメラヘッド１ａとカメラ本体１ｂとが電気的に接続される。
【００２４】
この多数のマウント接点の中のそれぞれが通信用、電力供給用にそれぞれ割り当てられていてカメラ本体１ｂ側からカメラヘッド１ａ側への通信が行なわれたり、またカメラヘッド１ａ側からカメラ本体１ｂ側への通信が行なわれたり、さらにカメラ本体１ｂ側からカメラヘッド１ａ側への電力の供給が行なわれたりする。これらのマウント接点の中に閃光発光開始信号を供給するための専用線が接続されるマウント接点も含まれている。
【００２５】
このヘッドマウント１０ｂの上方にはＡＷＢセンサ１１ｂが配備され、そのＡＷＢセンサ１１ｂにより撮影時の光源種が検出される。この光源種とは、例えば太陽光であるか蛍光灯であるかといったようなものであり、この光源種がＡＷＢセンサ１１ｂにより検出され後述するデジタル信号処理部に適正な色温度（例えば太陽光の場合には６０００Ｋ、蛍光灯の場合には４５００Ｋ）が設定されて最適なホワイトバランスの調整が行なわれる。そのＡＷＢセンサ１１ｂの横には、閃光発光窓１２ｂが配備されており、その閃光発光窓１２ｂを通して閃光を発光する閃光発光部がカメラ本体１ｂ内に配備されている。
【００２６】
さらにカメラ本体１ｂのボディ上面にはレリーズ釦１３ｂとモードダイヤル１４ｂが配備されている。このモードダイヤル１４ｂによって撮影モードと再生モードとが選択され、その撮影モードにあっては、さらに静止画撮影モードであるとか、動画撮影モードであるとかが選択される。なお、図１には複数のカメラヘッドのうちの一つが例として、また複数の本体のうちの一つが例としてそれぞれ示されている。またモードダイヤル１４ｂには一体的に電源スイッチも配備されており、そのモードダイヤル１４ｂの操作により電源が投入されるようになっている。
【００２７】
ここで図２を参照してカメラヘッド１ａとカメラ本体１ｂの内部の構成を説明する。
【００２８】
図２はカメラヘッド１ａがカメラ本体１ｂに装着された状態にあるときの電気系統の構成を示すブロック図である。
【００２９】
図２の上方側にはカメラヘッド１ａの構成が、また図２の下方側にはカメラ本体１ｂの構成がそれぞれ示されている。
【００３０】
まず、カメラヘッド１ａ側の構成および動作を説明する。
【００３１】
ここで図２を参照してカメラヘッド１ａとカメラ本体１ｂの内部の構成を説明する。
【００３２】
図２はカメラヘッド１ａがカメラ本体１ｂに装着された状態にあるときの電気系統の構成を示すブロック図である。
【００３３】
図２の上方側にはカメラヘッド１ａの構成が、また図２の下方側にはカメラ本体１ｂの構成がそれぞれ示されている。
【００３４】
まず、カメラヘッド１ａ側の構成を説明する。
【００３５】
本実施形態のカメラシステム１を構成するカメラヘッド１ａは、カメラ本体１ｂに装着されてカメラ本体１ｂ側のバッテリＢｔから電力の供給を受けて初めて動作するものである。この実施形態においてはカメラヘッド１ａ側の電源制御部１００ａおよびＤＣ／ＤＣコンバータ１０１ａがカメラ本体１ｂ側の電源制御部１４０ｂに制御される。また、そのカメラ本体側の電力制御部１４０ｂには電源スイッチ１４ｂからの操作信号やカメラヘッド１ａが装着されたときにカメラヘッド１ａからマウント接点を介してグランド信号が供給されるようになっており、これらの信号が供給されたら電源制御部１４０ｂはラッチ部１６０ｂの内容を書き換えることにより本体ＣＰＵ１００ｂが備えるＩ／Ｏ部１６１ｂの内容をリアルタイムに書き換えて電源の供給状態などを本体ＣＰＵへ通知することができる構成になっている。このため、カメラ本体側の動作を制御する本体ＣＰＵ１００ｂはいつでも電源制御部の制御内容を把握してカメラヘッド内およびカメラ本体内の各部の制御を行なうことができる。
【００３６】
図２に示すようにこのカメラシステム１を構成するカメラヘッド１ａには、撮影光学系１１ａと撮像素子（ここではＣＣＤ固体撮像素子が用いられているので以下ＣＣＤという）１２ａとが備えられている。その撮影光学系１１ａ内には撮影レンズや絞りなどが配備されている。その撮影光学系１１ａ内の撮影レンズで被写体をＣＣＤ１２ａに結像させて、ＣＣＤ１２ａで画像データの生成を行なっている。このＣＣＤ１２ａで生成した画像データをアナログ信号処理部１３ａに出力してそのアナログ信号処理部１３ａでノイズ低減の処理などを行なった後、後段のＡ／Ｄ部１４ａでアナログ信号の画像信号をデジタル信号の画像信号に変換して高速シリアルドライバ１５０ａに供給している。この高速シリアルドライバ１５０ａにより駆動される高速シリアルインターフェースによってカメラ１ｂ本体側にデジタル信号になった画像信号が送信される。勿論、この高速シリアルインターフェースを駆動する高速シリアルドライバ１５０ｂがカメラ本体１ｂ側にも配備されていて双方のドライバによって高速シリアルインターフェースが駆動される。この高速シリアルインターフェースを通ってカメラ本体１ｂに供給される画像信号の中には、モードダイヤル１４ｂによっていずれかの撮影モードが選択された状態にあるときに撮影光学系内の撮影レンズが捉えた被写体をＬＣＤパネル（図示せず）上に表示するためのスルー画用の画像信号（以下スルー画信号という）やその撮影モードの中の静止画撮影モードが選択された状態にあるときにレリーズ釦１３ｂの操作により得られる静止画像を表す画像信号（以下静止画信号という）やその撮影モードの中の動画モードが選択された状態にあるときにレリーズ釦１３ｂの操作により得られる動画を表す画像信号（以下動画信号という）の３通りの画像信号がある。これらの画像信号のうちのいずれかがカメラ本体１ｂ側からの要求によって高速シリアルインターフェースを通ってカメラ本体側に送信される。
【００３７】
一方、Ａ／Ｄ部１４ａでデジタル信号に変換された画像信号はＡ／Ｄ部１４ａの後段に設けられた積算回路１６ａにも供給されている。この積算回路１６ａはＡＦ機能（以下ＡＦという）およびＡＥ機能（以下ＡＥという）を果たすものであって、この積算回路１６ａによってＡＥ機能を働かせるための被写界輝度の測定やＡＦ機能を働かせるための被写体距離の測定が行なわれている。その積算回路１６ａで測定された被写体距離や被写界輝度がデータバス１９２ａを介して絞り／フォーカス／ズーム制御部１７ａに供給され、その絞り／フォーカス／ズーム制御部１７ａによって撮影光学系内の絞りの径が調節されたり、撮影光学系内のフォーカスレンズの位置が調節されたりする。このようにしておくとこのカメラヘッド１ａが備える撮影光学系内のレンズが異なる被写体に向けられる度にＡＦやＡＥが働きすぐにピントや輝度の調整が行なわれてピントの合った被写体を表す画像データがＣＣＤ１２ａで生成されＣＣＤ１２ａから出力される。
【００３８】
これらのＣＣＤ１２ａ、アナログ信号処理部１３ａ、Ａ／Ｄ部１４ａ、積算回路１６ａはタイミングジェネレータ（以下ＴＧという）１８ａからのタイミング信号に同期して動作するものであり、そのＴＧ１８ａの動作はヘッドＣＰＵ１９ａによって制御されている。このヘッドＣＰＵ１９ａはシステムメモリ１９０ａ内に格納されているプログラムの手順にしたがってＴＧ１８ａや絞り／フォーカス／ズーム制御部１７ａなどの制御を行なうものであって、そのシステムメモリ１９０ａ内には、初期化の処理手順やＡＥ処理やＡＦ処理についての処理手順やシリアルインターフェースでの通信についての処理手順などを示すソフトウエアが格納されている。このソフトウエアの中には、モードダイヤルによって撮影モードが選択され、さらに静止画撮影モードが選択されたときに起動されるスルー画処理に関するソフトウエアや静止画処理に関するソフトウエア、また動画撮影モードが選択されたときに起動される動画処理に関するソフトウエアなどもある。これらの処理手順にしたがって、このカメラヘッドの初期化や、その初期化が行なわれた後の各部の信号処理動作がヘッドＣＰＵ１９ａによって制御されている。この各部の動作の中には、積算回路１６ａの動作やＴＧ１８ａの動作や不揮発性メモリ１９１ａのリードライト動作や３線シリアルドライバ１５１ａの動作や高速シリアルドライバ１５０ａの動作などもある。
【００３９】
また、不揮発性メモリ１９１ａには、カメラヘッド１ａ用のコンフィギュレーション情報および信号処理ソフトウエアも記憶されている。カメラ本体１ｂからコンフィギュレーション情報の送信の要求を表すコマンドが３線シリアルインターフェースを経由して送信されてきたら、その不揮発性メモリ１９１ａ内のコンフィギュレーション情報が３線シリアルインターフェースを経由してカメラ本体１ｂに送信される。カメラ本体１ｂ側にも３線シリアルインターフェースを駆動する３線シリアルドライバ１５１ｂが配備されており、双方のドライバで駆動されるシリアルインターフェースによってカメラ本体１ｂからカメラヘッド１ａへ、あるいはカメラヘッド１ａからカメラ本体１ｂへのコマンドのやり取りが行なわれている。前述したコンフィギュレーション情報の送信の要求のほか、例えばカメラ本体１ｂから画像信号の送信の要求に対応するコマンドが３線シリアルインターフェースを経由して送信されてきた場合には、その３線シリアルインターフェースよりも高速の高速シリアルインターフェースによってデジタル信号になった画像信号がカメラ本体１ｂへ送信される。
【００４０】
このようなカメラヘッドがカメラ本体に装着されてカメラシステムが構成されそのカメラシステムで撮影が行なわれる。
【００４１】
ここから、カメラヘッドが装着された状態にあるときのカメラ本体の動作を説明する。
【００４２】
カメラ本体１ｂの動作はシステムメモリ１０１ｂ内のプログラムの手順にしたがって本体ＣＰＵ１００ｂによって統括的に制御されている。この本体ＣＰＵ１００ｂにより制御されているカメラ本体１ｂに上記カメラヘッド１ａが装着され電源が投入されたらこのカメラシステムの撮影準備がまず整えられる。
【００４３】
この実施形態のカメラシステム１では、電源が投入されたら先ずカメラ本体１ｂ側からスルー画信号の送信の要求を表すコマンドが３線シリアルドライバ１５１ｂにより駆動されるシリアルインターフェースを通してカメラヘッド１ａに送信され、カメラヘッド１ａ側のヘッドＣＰＵ１９ａではそのスルー画の送信の要求を受けて、スルー画信号が高速シリアルドライバ１５０ａによって駆動される高速シリアルインターフェースを通してカメラ本体１ｂへ送信される。この高速シリアルインターフェースを通ってカメラ本体１ｂに送信されてくるスルー画信号が、デジタルデジタル信号処理部１０３ｂに供給され、このデジタルデジタル信号処理部１０３ｂによってカメラヘッドのコンフィギュレーションに応じた信号処理が施された後、フレームメモリ１０４ｂに記憶される。このフレームメモリ１０４ｂに記憶されたＹＣ信号がＬＣＤ制御部１０５ｂに供給され、そのＬＣＤ制御部１０５ｂによってＬＣＤ１０５０ｂのパネル上にスルー画が表示される。
【００４４】
このスルー画を見ながらレリーズ釦１３ｂが押されたときには、本体ＣＰＵ１００ｂおよびヘッドＣＰＵ１９ａとの双方にレリーズ信号が供給される。このカメラシステムを構成するカメラ本体１ｂが備えるレリーズ釦１３ｂは、半押し、全押しの２つの操作態様を持つものであるので、半押しに応じたレリーズ信号ＳＰ１と全押しに応じたレリーズ信号ＳＰ２の２種類のレリーズ信号がカメラヘッド側のヘッドＣＰＵに供給される。その供給を受けたカメラヘッドのヘッドＣＰＵは、半押しに応じたレリーズ信号ＳＰ１のタイミングで積算回路１６ａにピント調整および露出調整を行なわせ、全押しに応じたレリーズ信号ＳＰ２のタイミングでＣＣＤ１２ａに露光を開始させる。
【００４５】
この積算回路１６ａで露出調整が行なわれて測光値が低い値であった場合にはヘッドＣＰＵがその測光値を受けてＴＧ１８ａからカメラ本体１ｂの閃光制御部１２０ｂへ発光開始信号を供給させ、その発光開始信号を受けた閃光制御部１２０ｂが閃光部１２１ｂに閃光を発光させている。この閃光制御部１２０ｂと閃光部１２１ｂとが本発明にいう閃光発光部にあたる。
【００４６】
従来例にも記載したようにこの発光開始信号のタイミングは非常に大事なものであるので、ここでは専用線１Ａを設けて対応している。図２に示すようにカメラ本体側のレリーズ釦１３ｂが半押しされたときに３線シリアルドライバ１５０ａ，１５０ｂにより駆動されるシリアルインターフェースを経由してＣＰＵ１９ａに半押しに応じたレリーズ信号が供給されたときに、ヘッドＣＰＵ１９ａの制御の基、積算回路１６ａに測距および測光をいち早く行なわせて、ヘッドＣＰＵ１９ａが測光値を得て閃光発光が必要であると判定したら、専用線１Ａを用いて発光開始指示をＴＧ１８ａからカメラ本体１ｂ側の閃光制御部１２０ｂに伝えさせるようにしている。
【００４７】
さらにレリーズ釦１３ｂが全押しされたときにはインターフェースで全押しに応じたレリーズ信号をヘッドＣＰＵ１９ａ伝えてヘッドＣＰＵ１９ａの制御の基、ＴＧ１８ａからＣＣＤ１２ａに向けて露光開始信号を供給させて被写体を表わす画像信号を撮像素子に生成させるようにしている。
【００４８】
このようにしておくと、シリアルインターフェースにより発光開始信号および発光停止信号が供給される訳ではないので、タイムラグが発生することなく、撮像素子の露光中に確実に閃光が発光されるようになる。
【００４９】
その後、シャッタスピードに応じた時間が経過したら、ヘッドＣＰＵ１９ａが、露光終了信号をＴＧ１８ａからＣＣＤ１２ａへ供給させてＣＣＤ１２ａに全画素データからなる静止画信号をアナログ信号処理１３ａへ出力させている。
【００５０】
そうしたら、ヘッドＣＰＵの制御の基、アナログ信号処理部１３ａに出力させた静止画信号が、アナログ信号処理部１３ａからＡ／Ｄ部１４ａ、高速シリアルインターフェース１５０ａを通ってデジタルデジタル信号処理部１０３ｂに供給され、さらにそのデジタル信号処理部１０３ｂでＪＰＥＧ圧縮されたＪＰＥＧファイルがカードＩ／Ｆ１０６ｂを介して、メモリカードスロット１０７ｂに装填されたメモリカード１０８ｂに記憶される。モードダイヤル１４ｂが動画モードになっているときにはレリーズ釦１３ｂの操作に応じて動画処理プログラムが起動され、動画信号が所定の時刻ごとに高速シリアルインターフェースを通ってデジタル信号処理部１０３ｂに供給され、モーションＪＰＥＧあるいはＭＰＥＧ圧縮が行なわれてメモリカード１０８ｂに記録される。
【００５１】
本発明には直接関係ないが、タイマ処理用のタイマ１１０ｂやカレンダ時計部１１１ｂなども配備されており、例えばＬＣＤ制御部１０５ｂにカレンダ時計部からカレンダデータが供給されると、ＬＣＤ１０５０ｂのパネル上に被写体とともに時計やカレンダが表示されたりする。また、ＬＣＤパネル上に文字を表示するためのＯＳＤ（Ｏｎ  Ｓｃｒｅｅｎ  Ｄｉｓｐｌａｙ）１０５１ｂも配備されている。さらにカメラ本体１ｂはＵＳＢコネクタ１３０ｂを有しており、そのＵＳＢコネクタ１３０ｂを介してパーソナルコンピュータなどが接続されるとＵＳＢドライバＵ１３１ｂによりＵＳＢが駆動されて画像信号がパーソナルコンピュータに転送される。
【００５２】
以上説明したように、カメラヘッドとカメラ本体とが別体であっても、カメラ本体側のレリーズ操作に応じたカメラヘッド側の測光結果によりカメラ本体側の閃光発光部から遅滞なく閃光発光が行なわれるカメラシステムが実現される。
【００５３】
なお、上記実施形態では、ＴＧ１８ａと閃光制御部１２０ｂとを専用線１Ａで結び、発光開始信号のみをＴＧ１８ａから閃光制御部１２０ｂへいち早く供給させるようにしているが、積算回路１６ａに測光を行なわせるにあたってはレリーズ釦１３ｂの半押しに応じたレリーズ信号ＳＰ１を別の専用線を用いてカメラ本体からカメラヘッド側のヘッドＣＰＵにいち早く伝えるようにしておくと良い。そうすると、ヘッドＣＰＵ１９ａがレリーズ釦１３ｂの半押しに応じたレリーズ信号ＳＰ１をいち早く受けとってすぐに積算回路１６ａにピント調整および露出調整を行なわせることができる。このようにレリーズ信号を伝える線も別の専用線にしておくと、カメラヘッド側に全押しに応じたレリーズ信号が供給されるまでの間により迅速に測光処理が行なわれてカメラ本体側での閃光発光が全押しタイミングに応じたタイミングで確実に発光されるようになる。
【００５４】
図３は、第２の実施形態であるカメラシステムの外観を示す図であり、図４は図３のカメラシステムの内部の構成を示す図である。
【００５５】
図３に示すカメラシステム１Ｐを構成するカメラ本体１ｂに着脱自在な外部フラッシュ接続用の端子１５ｂが備えられている以外、図１と全く同様の構成である。また、図４に示す内部の構成においても、外部フラッシュ接続端子１５ｂに接続される外部フラッシュ３００が図示され、その外部フラッシュ３００側にもＴＧ１８ａから発光開始信号が供給されるようになっている以外、図２と全く同様の構成である。
【００５６】
このようにしておくと、外部フラッシュ３００が装着された場合においても閃光発光タイミングが好適に制御される。
【００５７】
図５は、図６は、第３の実施形態であるカメラシステムを示す図である。
【００５８】
図６に示すように、第１の実施形態では、ＴＧ１８ａから発光開始信号のみを閃光制御部１２０ｂに専用線１Ａで供給するようにしたが、第３の実施形態では、発光開始信号と発光停止信号との双方を２本の専用線１Ｃ，１Ｄで供給するように変更している。図５にはそれらの専用線が接続されるマウント接点１０Ｃ，１０Ｄが示されている。
【００５９】
本実施形態のデジタルカメラでは、ＴＧ１８ａが、シャッタスピードをＣＣＤ１２ａに設定するものであって、ＣＰＵ１９ａがそのＴＧ１８ａからＣＣＤ１２ａへ向けて露光開始信号を供給させ、所定の時間を経過したら露光終了信号も供給させるようにしていることを利用して、それらの信号の供給タイミングに合わせてカメラ本体１ｂ側の閃光制御部１２０ｂに発光開始信号および発光停止信号を２本の専用線１Ｃ，１Ｄでそれぞれ供給させるようにしている。
【００６０】
このように、発光開始信号を伝達する第１の専用線１Ｃと、発光停止信号を伝達する第２の専用線１Ｄとの２本の専用線を設けることにより発光時間を厳しく制御すると、より一層適正な光量をＣＣＤ１２ａの受光面に与えることができるようになる。
【００６１】
図７は、第４の実施形態であるカメラシステムを示す図である。
【００６２】
第１〜第３の実施形態のものは、例えばヘッドＣＰＵ１９ａの演算により発光停止信号を定めて定めた発光停止信号を閃光制御部１２０ｂに供給するようにしていたが、図７のものでは、さらに発光量を厳しく制御することができるようにカメラヘッド側に調光調光制御部１９９ａを設けて実際に発光された閃光の光量を検出することによって発光停止信号を専用線１Ｄで閃光制御部１２０ｂに供給するように改良している。この調光制御部１９９ａにより閃光部１２１ｂから発光された閃光の光量が積算されるようになると、その積算結果がＣＣＤ１２ａの受光面に与えられるべき光量に達したときに発光停止信号が専用線１Ｄを介して好適に閃光制御部１２０ｂに供給されるようになる。
【００６３】
図８は第５の実施形態であるカメラシステムの外観を示す図である。
【００６４】
第１の実施形態では、カメラヘッド１ａをカメラ本体１ｂに直接装着して撮影を行なう場合のカメラシステムの構成を示したが、例えばカメラヘッド１ａを監視用としてドア付近に設置して、内部の監視装置内にカメラ本体１ｂを配置するようなことも行なえる。
【００６５】
図８に示す接続用ケーブル２００によってカメラヘッド１ａとカメラ本体１ｂとを接続するようにすると、このカメラシステムを監視用カメラシステムとして活用することもできる。
【図面の簡単な説明】
【００６６】
【図１】本発明の一実施形態であるカメラシステムを示す図である。
【図２】カメラヘッド１ａがカメラ本体１ｂに装着された状態にあるときの電気系統の構成を示すブロック図である。
【図３】第２の実施形態であるカメラシステムの外観を示す図である。
【図４】図３のカメラシステムの内部の構成を示す図である。
【図５】第３の実施形態であるカメラシステムを示す図である。
【図６】第３の実施形態であるカメラシステムを示す図である。
【図７】第４の実施形態であるカメラシステムを示す図である。
【図８】第５の実施形態であるカメラシステムの外観を示す図である。
【符号の説明】
【００６７】
１  カメラシステム
１Ａ  １Ｂ  １Ｃ  １Ｄ    専用線
１ａ  カメラヘッド
１００ａ    電源制御部
１０１ａ    ＤＣ／ＤＣコンバータ
１１ａ    撮影光学系
１２ａ    ＣＣＤ
１３ａ    アナログ信号処理部
１４ａ    Ａ／Ｄ部
１５０ａ    高速シリアルドライバ
１５１ａ    ３線シリアルドライバ
１６ａ    積算回路
１７ａ    絞り／フォーカス／ズーム制御部
１８ａ    ＴＧ
１９ａ    ヘッドＣＰＵ
１９０ａ    システムメモリ（ＲＯＭ／ＲＡＭ）
１９１ａ    不揮発性メモリ
１９２ａ    データバス
１ｂ    カメラ本体
１０ｂ    ヘッドマウント
１００ｂ    本体ＣＰＵ
１０１ｂ    システムメモリ
１０２ｂ    不揮発性メモリ
１０３ｂ    デジタル信号処理部
１０４ｂ    フレームメモリ
１０５ｂ    ＬＣＤ制御部
１０５０ｂ    ＬＣＤ
１０６ｂ    カードＩ／Ｆ
１０７ｂ    メモリカードスロット
１０８ｂ    メモリカード
１５０ｂ    高速シリアルドライバ
１５１ｂ    ３線シリアルドライバ
【図１】
2006174385.tif 000003
【図２】
2006174385.tif 000004
【図３】
2006174385.tif 000005
【図４】
2006174385.tif 000006
【図５】
2006174385.tif 000007
【図６】
2006174385.tif 000008
【図７】
2006174385.tif 000009
【図８】
2006174385.tif 000010